(57)【特許請求の範囲】
【請求項１】
電線押さえにより電線を一対のバレルの間に押し込み、浅底の加締溝と、深底の加締溝とが形成されたクリンパにより、一方のバレルに他方のバレルを重ねる状態で電線を包み込むように加締めることにより端子と電線とを圧着させる端子の圧着方法において、
前記クリンパによる前記一対のバレルの加締開始前に、電線押さえ斜面が設けられた前記電線押さえにより前記一対のバレル間における電線位置を規制して、前記電線を前記一方のバレルの高さよりも低い状態とさせ、次いで、該クリンパの下降により、該一方のバレルの先端が前記他方のバレルの下側に進入する進入許容空間を確保させ、該一方のバレルの先端を該他方のバレルの先端の下側に入り込ませることを特徴とする端子の圧着方法。
【請求項２】
電線押さえにより電線を一対のバレルの間に押し込み、浅底の加締溝と、深底の加締溝とが形成されたクリンパにより、一方のバレルに他方のバレルを重ねる状態で電線を包み込むように加締めることにより端子と電線とを圧着させる端子の圧着装置において、
前記電線押さえの下端に、前記一方のバレル側から前記他方のバレル側に向けて降下する電線押さえ斜面が設けられ、且つ、該電線押さえ斜面は、前記浅底の加締溝に対応する側のバレルに面したことを特徴とする端子の圧着装置。
【請求項３】
電線押さえにより電線を一対のバレルの間に押し込み、クリンパにより一方のバレルに他方のバレルを重ねる状態で電線を包み込むように加締めることにより端子と電線とを圧着させる端子の圧着装置において、
前記電線押さえの下端に、前記一方のバレル側から前記他方のバレル側に向けて降下する長い電線押さえ斜面と、該電線押さえ斜面と反対側に降下する短い電線規制斜面とからなる逆Ｖ字形で非対称形の電線押さえ溝が形成され、該電線押さえ溝の溝底が、該電線押さえのセンターラインより片側にずらされた点に位置することで、前記電線のバレル間における位置規制が達成されることを特徴とする端子の圧着装置。
【請求項４】
前記長い電線押さえ斜面と前記短い電線規制斜面とからなる前記電線押さえ溝の前記溝底は、電線径に合わせられた丸みをもつ電線保持部として形成されたことを特徴とする請求項３記載の端子の圧着装置。
【請求項５】
２本の電線が用いられたことを特徴とする請求項２〜４の何れか１項に記載の端子の圧着装置。
【発明の詳細な説明】
【０００１】
【発明の属する技術分野】
本発明は、電線と端子とを圧着する端子の圧着方法および装置に関し、とくに一つの端子に２本の電線を同時圧着する際に太い電線でも所定の形態に確実に圧着すると共に、端子の圧着巾のバラツキを小さくしてコネクタの端子収容室に確実に挿入できるように改良を施したものである。
【０００２】
【従来の技術】
図８はコネクタの一般的な構成を示す。即ち、コネクタハウジング１に並設された複数の端子収容室２には、それぞれ１本の電線３の端末に圧着された端子４が収容され、該室内の図示しない可撓係止腕により係止される。しかし、分岐接続等の必要に応じて２本の電線３，３′が同時圧着（以下、ダブル圧着という）された端子４′を挿着する場合もある。
端子４において、４Ａは相手方端子（図示せず）に対する電気接触部、４Ｂは電線圧着部であり、電線圧着部４Ｂは電線３の芯線３ａに対する一対のワイヤバレル５，５と絶縁被覆３ｂに対する一対のインシュバレル６，６を備えている。
【０００３】
ダブル圧着用の端子４′も端子４とほぼ同じ構成であるが、電線圧着部４Ｂ′における一対のワイヤバレル５′，５′と一対のインシュバレル６′，６′は、それぞれ１本の電線３を接続する端子４のバレル５，６よりも若干長く形成されている。
そして、一対のインシュバレル６′，６′間に２本の電線３，３′を押し込み位置決めする際の重ね姿勢は、図９（Ａ）〜（Ｄ）の４種に大別され、（Ａ）は縦重ね、（Ｂ）は左傾重ね、（Ｃ）は右傾重ね、（Ｄ）は横重ねである。
【０００４】
図１０は従来のダブル圧着装置の要部を示す。７はクリンパ、８は端子４′を載置するアンビル、９は電線押さえである。電線押さえ９が電線圧着部４Ｂ′のすぐ背後（すなわち、軸方向にずれた位置）で下降することにより下端の水平な押さえ面９ａで２本の電線３，３′を一対のインシュバレル６′，６′間に押し込んで位置決めした後、クリンパ７が下降して両電線３，３′をインシュバレル６′，６′で包み込むように加締める。
なお、クリンパ７の下端部には、図１１に示すように、ラッパ状に開いた導入溝７ａに続いてセンターから一方に（図中、左側に）浅底の加締溝７ｂが、他方に（右側に）深底の加締溝７ｃが非対称形に形成されており、両溝は斜面７ｄを介して一体につながっている。
【０００５】
そこで、実際にダブル圧着を行う場合に、２本の電線３，３′が図９（Ａ）の縦重ねの姿勢にあると、電線押さえ９は垂直に下降するからこの姿勢のまま一対のインシュバレル６1 ′，６2 ′間に着座する。とくに電線径が太い場合には、図１１に示すように、電線３，３′の重ね高さが浅底の加締溝７ｂ側のインシュバレル６1 ′の先端６ａ′よりも高くなることがある。
【０００６】
このような状態でクリンパ７が下降すると、バレル先端６ａ′が他方のインシュバレル６2 ′の下側に入ることができず、また、インシュバレル６2 ′の先端６ｂ′は一方のインシュバレル６1 ′と加締溝７ｂとの間に入ることができず、その先端６ａ′，６ｂ′が衝突する。その結果、図１２に示すように、全体が偏平状で右側のインシュバレル６2 ′が座屈した圧着形状となり、端子の圧着巾（Ｃ／Ｗ）が大きくなるから、図８の端子収容室２に端子４′を挿入できなくなる、という問題が生じていた。
また、たとえ端子を挿入できても端子の上記座屈部に亀裂が入るために圧着強度も弱く、電線が引っ張られた場合にその張力が直接ワイヤバレル５′，５′にかかり、振動により断線を起こすなどのおそれがあった。
【０００７】
【発明が解決しようとする課題】
本発明は以上の問題点に鑑みてなされたものであり、太い電線があっても所定の形態に確実にダブル圧着ができると共に、端子の圧着巾のバラツキを小さくしてコネクタの端子収容室に確実に挿入できる、電線のダブル圧着に好適な端子の圧着方法および圧着装置を提供することを課題とする。
【０００８】
【課題を解決するための手段】
前記課題を達成するために、本発明の請求項１記載の端子の圧着方法は、電線押さえにより電線を一対のバレルの間に押し込み、浅底の加締溝と、深底の加締溝とが形成されたクリンパにより、一方のバレルに他方のバレルを重ねる状態で電線を包み込むように加締めることにより端子と電線とを圧着させる端子の圧着方法において、前記クリンパによる前記一対のバレルの加締開始前に、電線押さえ斜面が設けられた前記電線押さえにより前記一対のバレル間における電線位置を規制して、前記電線を前記一方のバレルの高さよりも低い状態とさせ、次いで、該クリンパの下降により、該一方のバレルの先端が前記他方のバレルの下側に進入する進入許容空間を確保させ、該一方のバレルの先端を該他方のバレルの先端の下側に入り込ませることを特徴とする。
【０００９】
上記方法を実施するために、請求項２記載の端子の圧着装置は、電線押さえにより電線を一対のバレルの間に押し込み、浅底の加締溝と、深底の加締溝とが形成されたクリンパにより、一方のバレルに他方のバレルを重ねる状態で電線を包み込むように加締めることにより端子と電線とを圧着させる端子の圧着装置において、前記電線押さえの下端に、前記一方のバレル側から前記他方のバレル側に向けて降下する電線押さえ斜面が設けられ、且つ、該電線押さえ斜面は、前記浅底の加締溝に対応する側のバレルに面したことを特徴とする。
【００１０】
請求項１，２の発明によれば、ダブル圧着する際に２本の電線の高さがインシュバレルの先端よりも低く位置決めされ、一方のバレルの先端が他方のバレルの下側に進入する進入許容空間が確保される。従って、クリンパ下降の際に一方のバレルの先端が他方のバレルの下側に入り込み、バレル先端が相互に衝突することがなく、一方のバレルの上に他方のバレルが重なる状態で加締められるから、正常な加締形態が得られ、偏平で座屈のある不良圧着（図１２参照）を防止することができ、コネクタの端子収容室への挿入不能といった不具合も解消される。また、圧着強度の低下による断線などのおそれもなくなる。
【００１１】
請求項３記載の端子の圧着装置は、電線押さえにより電線を一対のバレルの間に押し込み、クリンパにより一方のバレルに他方のバレルを重ねる状態で電線を包み込むように加締めることにより端子と電線とを圧着させる端子の圧着装置において、前記電線押さえの下端に、前記一方のバレル側から前記他方のバレル側に向けて降下する長い電線押さえ斜面と、該電線押さえ斜面と反対側に降下する短い電線規制斜面とからなる逆Ｖ字形で非対称形の電線押さえ溝が形成され、該電線押さえ溝の溝底が、該電線押さえのセンターラインより片側にずらされた点に位置することで、前記電線のバレル間における位置規制が達成されることを特徴とする。
請求項３記載の発明によれば、電線押さえの長い電線押さえ斜面と短い電線規制斜面とからなる逆Ｖ字形の電線押さえ溝により、電線のバレル間における位置規制が一層確実に達成されると共に、圧着後における電線の曲がりを電線規制斜面のストッパ作用により防止することができる。
【００１２】
請求項４記載の端子の圧着装置は、請求項３記載の端子の圧着装置において、前記長い電線押さえ斜面と前記短い電線規制斜面とからなる前記電線押さえ溝の前記溝底は、電線径に合わせられた丸みをもつ電線保持部として形成されたことを特徴とする。
請求項４記載の発明によれば、電線押さえで電線を押し下げる際に電線被覆に食い込み、電線が損傷するのを防止することができる。
請求項５記載の端子の圧着装置は、請求項２〜４の何れか１項に記載の端子の圧着装置において、２本の電線が用いられたことを特徴とする。
【００１３】
【発明の実施の形態】
以下、図面を参照して本発明の実施の形態を具体的に説明するが、従来と同様の構成部材には同一の符号を付し詳細な説明を省略する。
図１は本発明によるダブル圧着装置Ａの部分正面図、図２は図１の要部の拡大正面図である。これらの図において、１０は圧着装置Ａの本体であり、基板１１とその一側に立設したフレーム１２とから成る。フレーム１２にはラムガイドブロック１３が固定され、その縦ガイド溝１４にはラム１５が上下摺動可能に装着され、図示しないアクチュエータに連結されて昇降するようになっている。ラム１５の前面には前記クリンパ７および細巾の電線押さえ１６の支持板部１７が取付板１８を介してボルト１９により固定されている。なお、電線押さえ１６の支持板１７の基端部には図示しないクッションばねが介装されて、電線に過荷重がかからないようにしてある。また、基板１１にはアンビル取付台２０が固定されており、前記アンビル８がクリンパ７と相対向して着脱可能に装着されている。
【００１４】
以上は従来の圧着装置と同様の構成であるが、本発明においては、細巾の電線押さえ１６の下端に電線押さえ斜面１６ａを設けてある。電線押さえ斜面１６ａは前記浅底の加締溝７ｂに対応する側のインシュバレルに面し、すなわち図２においては左側のインシュバレル６1 ′から右側のインシュバレル６2 ′に向けて降下する斜面として形成されている。
【００１５】
図３（Ａ）〜（Ｃ）は、それぞれ電線押さえ１６による電線押さえ斜面１６ａの作用を示す。
即ち、（Ａ）の上図は２本の電線３′，３が図９（Ａ）の縦重ね状態にある。下部の電線３は既に左側のインシュバレル６1 ′の斜壁面に到達してこれに接触支持されている。この状態で電線押さえ１６が降下すると、上部の電線３′には電線押さえ斜面１６ａによりインシュバレル６1 ′側に向けて力Ｆが働くから、斜め下方に押し下げられ、下部の電線３も下方に移行する。
これにより、（Ａ）の下図の如く、２本の電線３′と３は、インシュバレル６1 ′，６2 ′間に位置し、かつ上部の電線３′は、電線押さえ斜面１６ａと対面するインシュバレル６1 ′の先端６ａ′の高さよりも低くなる。
【００１６】
（Ｂ）の上図は電線３′，３が図９（Ｃ）の右傾重ね状態（なお、図９（Ｂ）の左傾重ね状態は省略した）にある。この場合にも、（Ａ）と同様の作用により下図（Ｂ1 ）または（Ｂ2 ）のように、上部の電線３′又は３がインシュバレル６1 ′の先端６ａ′の高さよりも低くなる。
【００１７】
（Ｃ）の上図は電線３′，３が図９（Ｄ）の横重ね状態である。この場合には図面右側の電線３′に同様に前記力Ｆが作用して斜め下方に押し下げられるから、最終的には下図の如くに左側の電線３が上部に位置する状態となり、インシュバレル６1 ′の先端６ａ′よりも低い図３（Ｂ）の下図（Ｂ2 ）と同じ状態となる。
【００１８】
以上のように、本発明によるダブル圧着装置Ａは電線押さえ１６の下端に電線規制斜面１６ａを設けてある。
従って、クリンパ７による端子４′のダブル圧着の開始直前には、図４（Ａ）のように、電線押さえ１６の降下により２本の電線３，３′が必ず一対のインシュバレル６1 ′，６2 ′間に位置が規制され、これにより高い方の電線３′又は３が一方のインシュバレル６1 ′の高さよりも低い状態になる。
【００１９】
次いで、クリンパ７の降下により、図４（Ｂ）のように、浅底の加締溝７ｂと深底の加締溝７ｃの溝壁によりインシュバレル６1 ′，６2 ′の先端６ａ′，６ｂ′が丸め込まれ、該電線３′又は３と他方のインシュバレル６2 ′との間に一方のインシュバレル６1 ′の先端６ａ′が進入する進入許容空間Ｓが確保される。このように、クリンパ７の下降により、一方の先端６ａ′が必ず他方の先端６ｂ′の下側に入り込む状態となるから、正常な加締が行われる。
【００２０】
図５（Ａ）は、図４（Ｂ）の状態から更にクリンパ７が下降して、一方のインシュバレル６1 ′の上に他方のインシュバレル６2 ′が重なり、２本の電線３、３′を包み込み、押し潰して圧着した状態である。
【００２１】
この圧着状態において、電線押さえ１６の電線押さえ斜面１６ａは依然として電線３′を押し、上記力Ｆより若干弱い力が電線３′に作用している。また、電線押さえ１６と一対のインシュバレル６1 ′，６2 ′との間には前述のように軸方向のずれがあり、電線３，３′を支持拘束するものがない。従って、図５（Ｂ）のように、ダブル圧着された一方の電線３′が曲がるおそれもある。
そして、電線が曲がると、前記コネクタハウジング１の端子収容室２（図８参照）に端子４′を挿着した後、他の端子の挿入の妨げとなるから、かかる曲がりが生じないようにするのが望ましい。
【００２２】
図６に示す電線押さえ１６′は、圧着後における電線の曲がりを防止するように改良を施したものである。
即ち、この電線押さえ１６′は下端に長い電線押さえ斜面１６ａ′と短い電線規制斜面１６ｂ′とから成る逆Ｖ字状で非対称形の電線押さえ溝Ｑを形成したものであり、その溝底（又は交叉点）はセンターラインＰより片側に（図示の例では左側に）ずれた点に位置し、電線３，３′の一方の外径に合わせた丸みのある電線保持部１６ｃ′として形成されている。
【００２３】
図７（Ａ），（Ｂ）はそれぞれ電線押さえ１６′の作用状態を示す説明図である。
すなわち、電線押さえ１６′は前記電線押さえ１６と同様に長い電線押さえ斜面１６ａ′を備えているので、図９（Ａ）〜（Ｄ）の４種の電線の重ね姿勢に対しては、図３（Ａ）〜（Ｃ）と同様に２本の電線３′，３を一対のインシュバレル６1 ′，６2 ′間に位置規制する作用がある。
さらに、電線押さえ１６′の電線押さえ斜面１６ａ′は電線規制斜面１６ｂ′と共に前記電線押さえ溝Ｑを構成するから、電線の位置規制が一層確実に達成されると共に、図７（Ａ）に示すように、その溝底である電線保持部１６ｃ′により電線３′，３がインシュバレル６1 ′，６2 ′間に押し込まれ、図４（Ａ）と同様の状態となる。
【００２４】
次いで、クリンパ７がさらに降下して、図７（Ｂ）のように、インシュバレル６1 ′，６2 ′の先端６ａ′，６ｂ′が丸められた状態から明らかなように、電線規制斜面１６ｂ′が電線３′に対するストッパとなるから、電線押さえ斜面１６ａ′により前記のような力Ｆが作用しても、電線３′の曲がりを防止することができる。
【００２５】
【発明の効果】
以上説明したように、本発明の方法および装置によれば、電線をダブル圧着する際に２本の電線の高さがインシュバレルの先端よりも低く位置決めされる。従って、クリンパ下降の際に、一方のインシュバレルの先端が他方のバレルの下側に入り込み、バレル先端が相互に衝突することがなく、一方のバレルの上に他方のバレルが重なる状態で加締られるから、正常な加締形態が得られ、偏平で座屈のある不良圧着を防止することができ、コネクタの端子収容室への挿着不能といった不具合も解消される。また、圧着強度の低下による断線などのおそれもなくなる（請求項１，２）。
【００２６】
請求項３の発明によれば、電線押さえの長い電線押さえ斜面と短い電線規制斜面とからなる逆Ｖ字形の電線押さえ溝により、電線のバレル間における位置規制が一層確実に達成されると共に、圧着後における電線の曲がりを電線規制斜面のストッパ作用により防止することができる。
また、請求項４の発明は、前記長い電線押さえ斜面と短い電線規制斜面とからなる電線押さえ溝の溝底が電線径に合わせた丸みをもつ電線保持部として形成されているものであるから、電線押さえで電線を押し下げる際に電線被覆に食い込み、電線が損傷するのを防止することができる。
【図面の簡単な説明】
【図１】本発明のダブル圧着装置の実施の形態の１例を示す部分正面図である。
【図２】図１の要部の拡大正面図である。
【図３】（Ａ）〜（Ｃ）はそれぞれ図１の電線押さえの作用説明図である。
【図４】図１の装置による圧着過程を示す説明図であり、（Ａ）は圧着開始、（Ｂ）は圧着途中の状態である。
【図５】（Ａ）は図４（Ｂ）の後の圧着状態の説明図、（Ｂ）は（Ａ）の電線の接続状態を示す平面図である。
【図６】本発明の他の形態を示す電線押さえ１６′の正面図である。
【図７】（Ａ），（Ｂ）はそれぞれ電線押さえ１６′の作用状態を示す説明図である。
【図８】従来のコネクタの一般的構成の説明図である。
【図９】（Ａ）〜（Ｄ）はそれぞれ端子のインシュバレルに対する電線の押し込み姿勢の説明図である。
【図１０】従来のダブル圧着装置の説明図である。
【図１１】図１０の装置によるダブル圧着状態の説明図である。
【図１２】同じく座屈したダブル圧着状態の説明図である。
【符号の説明】
３，３′      電線
４，４′      端子
５，５′      ワイヤバレル
６，６′      インシュバレル
６1 ′ 一方のインシュバレル（インシュバレル）
６2 ′ 他方のインシュバレル（インシュバレル）
６ａ′ 一方の先端（先端）
６ｂ′ 他方の先端（先端）
７            クリンパ
７ｂ 浅底の加締溝（加締溝）
７ｃ 深底の加締溝（加締溝）
１６，１６′  電線押さえ
１６ａ        電線規制斜面（電線押さえ斜面）
１６ａ′ 長い電線押さえ斜面（電線押さえ斜面）
１６ｂ′ 短い電線規制斜面（電線規制斜面）
１６ｃ′ 電線保持部
Ｑ 電線押さえ溝
Ｓ 進入許容空間
【図１】
0003731783.tif 000002
【図２】
0003731783.tif 000003
【図３】
0003731783.tif 000004
【図４】
0003731783.tif 000005
【図５】
0003731783.tif 000006
【図６】
0003731783.tif 000007
【図７】
0003731783.tif 000008
【図８】
0003731783.tif 000009
【図９】
0003731783.tif 000010
【図１０】
0003731783.tif 000011
【図１１】
0003731783.tif 000012
【図１２】
0003731783.tif 000013